(57)【要約】【課題】小型で低音域まで再生可能なスピーカで、振動板とサスペンションとを有し、組み立て精度を高くし、信頼性を向上させること。【解決手段】内部にマグネット１１を有する筐体１１１と、マグネットの上面に取り付けられたプレート１２と、プレートの外周に形成された磁気空隙１４に、上下方向に振動可能に配置されたボイスコイル１５と、周縁部１６ｂがボイスコイルの上端と接合された振動板１６と、振動板と筐体とを接続するサスペンション１１７とを備え、サスペンションは、振動板に固着された部分である第一固着部２１と、筐体と固着された部分である第二固着部２２とを有し、第二固着部は、第一固着部よりも上方に位置し、第一固着部は、上面視において、振動板の周縁部より内側に相当する領域である内側領域Ｄ１に配置し、振動板１もしくはサスペンションに、少なくとも１つの穴９０を有しているスピーカ１１０。【選択図】図１Ｂ
2013157798.tif 000002
【特許請求の範囲】
【請求項１】
スピーカであって、
内部にマグネットを有する筐体と、
前記マグネットの上面に取り付けられたプレートと、
前記プレートの外周に形成された磁気空隙に、上下方向に振動可能に配置されたボイスコイルと、
周縁部が前記ボイスコイルの上端と接合された振動板と、
前記振動板と前記筐体とを接続するサスペンションとを備え、
前記サスペンションは、前記振動板に固着された部分である第一固着部と、前記筐体と固着された部分である第二固着部とを有し、
前記第二固着部は、前記第一固着部よりも上方に位置し、
前記第一固着部は、上面視において、前記振動板の前記周縁部より内側に相当する領域である内側領域に配置し、
前記振動板もしくは前記サスペンションは前記第一固着部の領域内に少なくとも１つの穴を有している
スピーカ。
【請求項２】
前記穴は、前記第一固着部の領域内にメッシュ状に配置されている
請求項１に記載のスピーカ
【請求項３】
前記振動板と前記サスペンションの材料が同じである
請求項１に記載のスピーカ。
【請求項４】
前記振動板と前記サスペンションの材料が異なる
請求項１に記載のスピーカ。
【請求項５】
前記筐体は、前記マグネット、前記プレート、および前記ボイスコイルを囲うように設けられた側壁部を有するヨークを有し、
前記第二固着部は、前記側壁部に接する位置に配置されている
請求項１に記載のスピーカ。
【請求項６】
前記振動板は、前記内側領域に、前記第一固着部に対応した形状の凹部を有する
請求項１記載のスピーカ。
【請求項７】
前記サスペンションは、上面視において放射状に延設された複数の部分に分割されており、
前記複数の部分のそれぞれは、前記第二固着部を有する
請求項１に記載のスピーカ。
【請求項８】
前記振動板の上面視における形状は長尺状である
請求項１に記載のスピーカ。
【請求項９】
前記振動板の立体形状はドーム状である
請求項１に記載のスピーカ。
【請求項１０】
さらに、前記ボイスコイルと前記プレートとの間に充填された磁性流体を備える
請求項１〜９のいずれか１項に記載のスピーカ。
【請求項１１】
請求項１〜１０のいずれか１項に記載のスピーカを備える補聴器。
【請求項１２】
請求項１〜１０のいずれか１項に記載のスピーカを備えるインナーイヤーヘッドホン。
【請求項１３】
請求項１〜１０のいずれか１項に記載のスピーカを備える携帯型情報処理装置。
【請求項１４】
請求項１〜１０のいずれか１項に記載のスピーカを備えるＡＶ（Ａｕｄｉｏ  ａｎｄ  Ｖｉｓｕａｌ）機器。
【発明の詳細な説明】
【技術分野】
【０００１】
本発明は、小型スピーカの小径化に関する。
【背景技術】
【０００２】
近年、デジタル補聴器の発展に伴い、使用者の難聴の程度に応じて、聴きやすさを最適に補正して、より高音質な受聴ができる補聴器が実現されてきている。
【０００３】
一方、補聴器は日常生活を営む上の必需品であり、長時間に渡って連続的に装着し使用される。そのため、長時間の装着でも使用者が疲れない補聴器とするために、補聴器はより小型化が求められている。具体的には、耳孔に挿入され、補聴器用レシーバとして使用されている小型スピーカの更なる小型化が求められている。
【０００４】
特に、オープンフィッティングタイプの補聴器では、外耳道内に気道を確保する必要があるため、レシーバの小型化は重要である。オープンフィッティングタイプの補聴器では、レシーバと耳孔との間に通気路が設けられており、これにより、装着時にレシーバが耳孔を完全に塞ぐことが無い。その結果、自声の響きおよび耳孔装着時の閉塞感が少ない、という装着感の改善が図られる。またオープンフィッティングタイプの場合、スピーカの最低共振周波数以下では音圧レベルが周波数の低下に伴い減少するため、低音域の再生が困難となる。したがって、小型でありながら最低共振周波数の低いスピーカが求められている。
【０００５】
現在、一般的な補聴器では、電磁型スピーカの一方式であるバランスドアーマチュア型のスピーカが用いられている。バランスドアーマチュア型は、振動板が連結されたアーマチュア（可動鉄片）を、２組のコイルと磁石で挟み込んだ構造である。バランスドアーマチュア型のスピーカでは、それぞれのコイルに電流を流しアーマチュア内の磁界を変化させる。これにより、２つの磁石の磁気吸引力がバランスする磁気空隙の中央部に保持されたアーマチュアが振動し、その結果、音波が発生する。バランスドアーマチュア型のスピーカは、構造上、小型化が可能であるが、上記磁石とアーマチュアとの間の磁気空隙幅が狭く、大振幅が必要な低音域の再生は困難であった。そこで、低音域の再生を実現するための方式として動電型方式がある。従来の動電型方式では、サスペンションの材料を選択することで最低共振周波数を低下させることができるため、低音域の再生が可能になる。しかしながら、補聴器で求められる小型化を実現した場合、振動板面積が小さくなる、またはサスペンションの形状が限定され最大振幅が小さくなる。その結果、小型化と低音域再生および能率の確保を満足することは困難であった。
【０００６】
そこで、上記課題を解決するために特許文献１に記載された動電型方式のスピーカが提案されている。図９は、特許文献１に記載された従来の動電型方式のスピーカの構造を示す断面図である。図９に示す従来の動電型方式のスピーカは、筐体１１１と、マグネット１１と、プレート１２と、ボイスコイル１５と、振動板１６と、サスペンション１７とを備える。
【０００７】
この構造によって、振動板１６とサスペンション１７とが立体的に配置されるため、小型化によって振動板１６の面積を小さくすることなく、かつ、サスペンション１７の形状を限定されることがない。その結果、スピーカの小型化と低音域再生および能率の確保が可能となる。
【先行技術文献】
【特許文献】
【０００８】
【特許文献１】国際公開第２０１１／１２９１０８号
【発明の概要】
【発明が解決しようとする課題】
【０００９】
上記従来の構成では、振動板１６とサスペンション１７とが立体構造を形成している。そのため第一固着部２１で振動板１６とサスペンション１７は接着する必要がある。しかし、第一固着部２１に接着剤を塗布し接着させると、第一固着部２１の一部に接着だまりが生じ、第一固着部２１全面が接着されない。そのため、十分な接着力を得ることが困難であった。
【００１０】
本発明は、上記従来の課題を考慮し、従来よりも組立精度を高くした振動板とサスペンションを有する低音域再生が可能な小型スピーカを提供することを目的とする。
【課題を解決するための手段】
【００１１】
上記目的を達成するために、本発明の一態様に係るスピーカは、内部にマグネットを有する筐体と、マグネットの上面に取り付けられたプレートと、プレートの外周に形成された磁気空隙に、上下方向に振動可能に配置されたボイスコイルと、周縁部がボイスコイルの上端と接合された振動板と、振動板と筐体とを接続するサスペンションとを備え、サスペンションは、振動板に固着された部分である第一固着部と、筐体と固着された部分である第二固着部とを有し、第二固着部は、第一固着部よりも上方に位置し、第一固着部は、上面視において、振動板の周縁部より内側に相当する領域である内側領域に配置し、振動板もしくはサスペンションは、第一固着部の領域内に少なくとも１つの穴を有している。
【００１２】
この構成によれば、第一固着部に塗布した接着剤のうち余剰分が第一固着部内に設けられた穴から外部に放出され、第一固着部内に接着だまりができないため、振動板とサスペンションを十分に接着することができる。また、振動板もしくはサスペンションの一部に穴を設けることで振動系質量が軽くなり、能率を向上させることができる。つまり、本態様のスピーカによれば、例えば、所定の音圧を実現するための振動板面積を維持しつつ、低音域の大振幅再生時の信頼性を確保することができる。また、本態様のスピーカによれば、例えば、サスペンションによる支持力の非線形性の増大、および、サスペンションのスティフネスの増大等の問題を生じさせることなく、低音域の大振幅再生時の信頼性を確保することができる。
【００１３】
このように、本態様のスピーカは、振動板とサスペンションの立体構造による歪の抑制および最低共振周波数の低減を実現することができ、かつ、従来よりも信頼性向上が可能である。
【００１４】
また、本発明の一態様に係るスピーカにおいて、穴は、第一固着部の領域内にメッシュ状に配置されているとしてもよい。つまり、第一固着部内に複数の穴、例えばメッシュ状に配置した場合、第一固着部に塗布した接着剤の余剰分が外部にほぼ均等に放出されるため、第一固着部内をほぼ均等に接着することができる。また、振動板とサスペンションにＰＥＩ（ポリエーテルイミド）などの紫外線透過率の低い材料とＵＶ硬化型接着剤を用いた場合、振動板とサスペンションおよび配置した穴の外周部のみが接着される。そのため、穴を複数配置することで接着面積を拡大することができ、接着力を向上できる。
【００１５】
また、本発明の一態様に係るスピーカにおいて、振動板とサスペンションの材料が同じとしてもよい。つまり、同材料にすることで、振動板とサスペンションの熱膨張率や接着性などが同じであるため、信頼性を確保できる。
【００１６】
また、本発明の一態様に係るスピーカにおいて、振動板とサスペンションの材料が異なってもよい。つまり、異なる材料にすることで、振動板に弾性率の高い材料を用い、サスペンションに弾性率の低い材料を用いることができる。その結果、より再生帯域の広いスピーカを実現することができる。
【００１７】
また、本発明の一態様に係るスピーカにおいて、筐体は、マグネット、プレート、およびボイスコイルを囲うように設けられた側壁部を有するヨークを有し、第二固着部は、側壁部に接する位置に配置されているとしてもよい。この構成によれば、サスペンションの筐体側の端部の固定をヨークに担わせることができるため、例えば、スピーカの構成が簡素となる。
【００１８】
また、本発明の一態様に係るスピーカにおいて、振動板は、内側領域に、第一固着部に対応した形状の凹部を有するとしてもよい。この構成によれば、例えば、第一固着部の振動板への取り付けが精度よく、かつ容易に行われる。
【００１９】
また、本発明の一態様に係るスピーカにおいて、サスペンションは、上面視において放射状に延設された複数の部分に分割されており、複数の部分のそれぞれは、第二固着部を有するとしてもよい。この構成によれば、例えば、サスペンションのスティフネスが低下する。これにより、スピーカの最低共振周波数をより低減させることができ、その結果、より低域の音声の再生が可能となる。
【００２０】
また、本発明の一態様に係るスピーカにおいて、振動板の上面視における形状は長尺状であるとしてもよい。この構成によれば、例えば、振動板の振動方向に直交する方向に長細い形状の小型スピーカを実現することができる。
【００２１】
このような形状の小型スピーカを例えば補聴器またはインナーイヤーヘッドホンのスピーカとして採用した場合、装着時に耳孔内に振動板が挿入されるように補聴器またはインナーイヤーヘッドホンを構成することが可能である。その結果、例えば、使用者に伝達される音声の明瞭化が可能となる。
【００２２】
また、本発明の一態様に係るスピーカにおいて、振動板の立体形状はドーム状であるとしてもよい。この構成によれば、例えば、振動板全体としての剛性を向上させることができる。また、振動板の厚みを薄くした場合であっても、所定の剛性を維持させることができる。
【００２３】
また、本発明の一態様に係るスピーカは、さらに、ボイスコイルとプレートとの間に充填された磁性流体を備えるとしてもよい。この構成によれば、磁性流体は、磁気空隙に発生している磁界によりプレートとボイスコイルとの間に保持される。これにより、振動板が大きく振動した場合でも、振動板は、磁性流体の粘性により筐体およびプレートに接触することなく安定的に振動することができる。さらに、振動板についての磁性流体による支持部分と、第二固着部による支持部分とが、振動板の振動方向に比較的に長い距離だけ離れた構造となるため、振動板のローリングが効果的に防止される。
【００２４】
また、本発明は、本発明のいずれかの態様に係るスピーカを備える、補聴器、インナーイヤーヘッドホン、携帯型情報処理装置、およびＡＶ（Ａｕｄｉｏ  ａｎｄ  Ｖｉｓｕａｌ）機器のそれぞれとして実現することもできる。
【発明の効果】
【００２５】
本発明によれば、低音域の再生が可能であって、かつ、従来よりも組立精度を高くし、信頼性を向上させた小型スピーカを提供することができる。
【図面の簡単な説明】
【００２６】
【図１Ａ】本発明の実施の形態１におけるスピーカの平面図である。
【図１Ｂ】図１ＡにおけるＡ−Ａ断面を示す図である。
【図２】本発明の実施の形態１における、第一固着部および第二固着部の配置位置を説明するための概要図である。
【図３】本発明の実施の形態１における、サスペンション上の穴の配置方法を説明するための概要図である。
【図４Ａ】本発明の実施の形態２におけるスピーカの断面図である。
【図４Ｂ】サスペンションの平面図である。
【図５】本発明の実施の形態３における補聴器の外観の一例を示す図である。
【図６】図５に示す補聴器におけるレシーバ部の断面拡大図である。
【図７】本発明の実施の形態４における携帯電話機の外観の一例を示す図である。
【図８】本発明の実施の形態５における薄型テレビの外観の一例を示す図である。
【図９】従来の動電型方式の小型スピーカの構造を示す断面図である。
【発明を実施するための形態】
【００２７】
以下本発明の実施の形態について、図面を参照しながら説明する。
（実施の形態１）
本発明の実施の形態１におけるスピーカの構成概要を図１Ａおよび図１Ｂに示す。図１Ａは、実施の形態１におけるスピーカ１１０の平面図であり、図１Ｂは、図１ＡにおけるＡ−Ａ断面を示す図である。図１において、図９と同じ構成要素については同じ符号を用いている。
【００２８】
実施の形態１におけるスピーカ１１０は、筐体１１１と、マグネット１１と、プレート１２と、ボイスコイル１５と、振動板１６と、サスペンション１１７とを備える。振動板１６とサスペンション１１７の材料はＰＥＩ（ポリエーテルイミド）である。なお、スピーカ１１０の外径は、例えば５ｍｍ〜１０ｍｍ程度である。より具体的には、実施の形態１におけるスピーカ１１０は、以下のように構成されている。
【００２９】
筐体１１１は、ヨーク１０と、ヨーク１０の側壁部の上端縁により形成された開口を塞ぐヨークカバー１９とで構成されており、ヨークカバー１９には音孔２０が設けられている。プレート１２は、マグネット１１の上面に取り付けられている。また、ヨーク１０、マグネット１１およびプレート１２のそれぞれに形成された孔により音孔１３が形成されている。ボイスコイル１５は、プレート１２の外周に形成された磁気空隙１４に、上下方向に振動可能に配置されている。また、磁気空隙１４において、プレート１２とボイスコイル１５との間には磁性流体１８が充填されている。振動板１６は、周縁部１６ｂがボイスコイル１５の上端と接合されており、ボイスコイル１５の振動に伴って振動する。サスペンション１１７は、振動板１６と筐体１１１とを接続するように設置されている。サスペンション１１７は、振動板１６に固着された部分である第一固着部２１と、筐体１１１と固着された部分である第二固着部２２とを有する。サスペンション１１７の第一固着部２１の中央に穴９０が設けられている。また、図１Ｂに示すように、第二固着部２２は、第一固着部２１よりも上方に位置する。また、振動板１６には、第一固着部２１に対応した形状の凹部１６ａが設けられており、第一固着部２１は、凹部１６ａに固着されている。第二固着部２２は、ヨーク１０の側壁部とヨークカバー１９との間に挟みこまれている。
【００３０】
本実施の形態における第一固着部２１および第二固着部２２の配置位置について、図２を用いて説明する。図２は、実施の形態１における、第一固着部２１および第二固着部２２の配置位置を説明するための概要図である。図２に示すように、サスペンション１１７は、上面視において放射状に延設された複数の部分に分割されている。本実施の形態では、サスペンション１１７は、［１］〜［４］の４つの部分に分割され、それぞれの部分は、第二固着部２２を有している。また、第一固着部２１は、周縁部１６ｂより内側に相当する領域である内側領域Ｄ１に配置されており、第二固着部２２は、内側領域Ｄ１を囲む領域である外側領域Ｄ２に配置されている。第一固着部２１の中央に穴９０が配置されている。
【００３１】
なお、実施の形態１におけるスピーカ１１０について、便宜上、マグネット１１に対して振動板１６が配置された側を“上”とした場合について図示し説明を行っている。この場合、振動板１６の振動方向は上下方向となる。しかし、スピーカ１１０がどのような方向を向いている場合であっても、スピーカ１１０が有する効果等に実質的な変化はない。このことは、他の実施の形態においても同じである。
【００３２】
以上のように構成されたスピーカ１１０について、その動作を説明する。音波を発生するメカニズムは従来例と同様で、ボイスコイル１５に電気信号が入力されると、フレミング左手の法則に従ってボイスコイル１５が振動する。ボイスコイル１５は振動板１６と接合されているため、振動板１６から音波が発生する。
【００３３】
本発明の実施の形態１におけるスピーカ１１０によれば、サスペンション１１７の長さを長くでき、スティフネスを小さくすることができるため、最低共振周波数が低減され、低域再生が実現できる。さらに、サスペンション１１７の長さが長くなることで、支持系の非線形性が改善され、歪を抑制できる。また、サスペンション１１７は、上面視において放射状に延設された複数の部分に分割されていることで、スティフネスが低下するため、スピーカの最低共振周波数を低減させることができる。本実施例では、４つに分割しているが、３分割、５分割など異なる分割数でもよい。
【００３４】
また、磁性流体１８が、磁気空隙１４に発生している磁界によりプレート１２とボイスコイル１５との間に保持されている。そのため、振動板１６が大きく振動した場合でも、振動板１６は、磁性流体１８の粘性によりヨーク１０およびプレート１２に接触することなく安定的に振動することができる。
【００３５】
また、第二固着部２２は、ヨーク１０の側壁部とヨークカバー１９との間に挟みこまれている。つまり、ヨークカバー１９をヨーク１０に取り付けることで、サスペンション１１７の筐体１１１側の端部（第二固着部２２）の固着が実現されるため、例えば、スピーカ１１０の組み立て工程を簡素化できる。
【００３６】
また、振動板１６の立体形状は、図１Ｂに示すようにドーム状であるため、例えば、振動板１６全体としての剛性を向上させることができる。また、振動板１６の厚みを薄くした場合であっても、所定の剛性を維持させることができる。ここで、ドーム状の振動板１６の中央部には、第一固着部２１に対応した形状の凹部１６ａが設けられている。この凹部１６ａにより、例えば、第一固着部２１の振動板１６への取り付け精度が向上する。なお、振動板１６は凹部１６ａを有していなくてもよい。この場合、サスペンション１１７の第一固着部２１は、振動板１６のドーム形状に沿う曲面形状に成形することが好ましい。以上の効果は、従来のスピーカ構造と同様である。
【００３７】
スピーカ１１０は、主に接着剤を用いて組み立てられている。振動板１６とサスペンション１１７を固着する場合、振動板の凹部１６ａに接着剤を塗布する。塗布された接着剤の余剰分がサスペンション１１７の第一固着部２１内に設けた穴９０から外部に放出される。その結果、振動板１６とサスペンション１１７は、第一固着部２１内に接着だまりが生じる従来のスピーカの構造に比べ、第一固着部２１の面上で均一に固着される。すなわち、本実施の形態のスピーカ１１０によれば、振動板１６とサスペンション１１７の接着性を向上し、振動時の接着剥がれなどの防止し、信頼性を向上できる。また、穴９０を設けることで振動系質量が軽くなり、再生音圧を向上できる。また、穴９０を設けることでサスペンション１１７の下方にある振動板１６を直接観察できるため、組立時の位置決めが容易になる。なお、本実施の形態では穴９０をサスペンション１１７の中央に配置したが、余剰接着剤を外部に放出できれば中央に配置しなくても良い。なお、本実施の形態では穴９０を円形状としたが、楕円形状、四角形状など他の形状でもよい。
【００３８】
なお、本実施の形態では穴９０をサスペンション１１７上に設けたが、振動板１６上に設けても良く、同様の効果が得られる。すなわち振動板１６上に穴９０を設け、サスペンション上には穴９０を設けない構造としてもよい。また、振動板１６上に穴を設ける際にも、サスペンション１１７上に、振動板１６上に設けた穴とは重ならない位置に穴を設けても良い。なお、穴は１つではなく複数またはメッシュ状に形成されていても良い。穴の配置方法を図３に示す。サスペンション９５上の第一固着部９３に複数の穴９２が配置されており、第二固着部９４で筐体１１１と固着されている。複数の穴９２を設けることで、より均一に余剰接着剤を放出することができ、接着力が向上する。
【００３９】
さらに、例えば振動板１６とサスペンション９５、１１７の材料としてＰＥＩ（ポリエーテルイミド）をはじめとした紫外線透過率の低いものを用いた場合、ＵＶ硬化型接着剤を用いると振動板１６とサスペンション９５、１１７の境界面近傍しか接着されない。穴を配置することで、さらに穴の外周部近傍が接着される。つまり、複数の穴９２もしくはメッシュ状にするとそれぞれの穴９２の外周部近傍が接着されるため、トータルとして接着面積が拡大し、接着力を向上できる。なお、本実施の形態では振動板１６とサスペンション９５、１１７を同一材料で構成したが、異なる材料を用いても良い。例えば、振動板１６に弾性率の高い材料を用いて高域再生を改善し、サスペンション９５、１１７に弾性率の低い材料を用いて最低共振周波数を低減することで、再生帯域を拡大することが可能となる。
【００４０】
（実施の形態２）
本発明の実施の形態２におけるスピーカの構成概要を図４Ａおよび図４Ｂに示す。図４Ａは、実施の形態２におけるスピーカ１３０の断面図であり、図４Ｂは、サスペンション３７の平面図である。
【００４１】
実施の形態２におけるスピーカ１３０は、ヨーク３０とヨークカバー３９とから構成される筐体１３１と、マグネット３１と、プレート３２と、音孔３３と、プレート３２の外周に形成された磁気空隙３４と、磁気空隙３４に上下方向に振動可能に配置されたボイスコイル３５と、長方形の振動板３６と、中央部に穴９１を有し、端部の断面形状がロール状のサスペンション３７と、磁気空隙３４内においてプレート３２とボイスコイル３５との間に充填された磁性流体３８とを備える。ヨークカバー３９には、音孔１００が設けられている。
【００４２】
また、サスペンション３７は、振動板３６と固着される部分である第一固着部１０１と、筐体１３１と固着される部分である第二固着部１０２とを有する。また、第一固着部１０１は、上面視において、振動板３６の周縁部３６ａよりも内側の領域である内側領域に配置され、第二固着部１０２は、上面視において、当該内側領域の外側の領域であるに配置されている。第二固着部１０２は、具体的には、ヨーク３０の側壁部と、ヨークカバー３９との間に挟み込まれている。
【００４３】
以上のように構成されたスピーカ１３０について、その動作を説明する。ボイスコイル３５に電気信号が印加されると振動板３６から音が発生されるメカニズムについては実施の形態１と同様である。実施の形態２のスピーカ１３０が、実施の形態１のスピーカ１１０と大きく異なるのは、振動板３６の上面視における形状が長尺状である点である。本実施の形態では、具体的には、振動板３６の上面視における形状は長方形である。振動板３６のこの形状に合わせて、振動板３６を支持するサスペンション形状は、第一固着部１０１は振動板形状に合わせた平坦形状、両端はロール形状で形成されている。さらに、サスペンション３７上の第一固着部１０１には穴９１が設けられている。ここで、サスペンション３７は振動板３６上に立体的に配置されている。つまり、サスペンション３７の長さを長く取れるために、スティフネスを小さくすることができ、低域再生が実現できることと、支持系の非線形性が改善され、歪を抑制できることは、実施の形態１と同じである。また、サスペンション３７上の第一固着部１０１に穴９１を配置することで、振動板３６とサスペンション３７との接着時に余剰接着剤を外部に放出することができ、接着力が向上することも実施の形態１と同じである。
【００４４】
直方体形状にすることで、実施の形態１と比較して幅の狭いスピーカ１３０を実現することが可能である。このスピーカ１３０を、例えば、補聴器またはインナーイヤーヘッドホンの音声出力デバイスとして採用した場合、装着時に耳孔内に振動板３６が挿入されるように補聴器またはインナーイヤーヘッドホンを構成することが可能である。その結果、耳孔の内部における振動有効面積が向上するため、例えば、使用者に伝達される音声の明瞭化が可能となる。
【００４５】
なお、本実施の形態ではサスペンション３７は振動板３６の長辺方向に配置されていたが、短辺方向に配置してもよい。この場合、長辺方向に配置したものより振動板３６の有効面積は小さくなるが、サスペンション３７が振動板３６を支持する長さが長くなるため、より安定的に振動板を支持することができる。いずれの場合であっても、低音域の再生と小型化との両立が可能なスピーカ１３０を実現することができる。
【００４６】
また、振動板３６は上面視において長尺状であればよく、長方形以外の形状であってもよい。振動板３６の上面視における形状は、例えば、長方形の角が丸められた形状であってもよく、楕円であってもよい。また、筐体１３１の立体形状も、図４Ａおよび図４Ｂに示すような直方体である必要はなく、全体として長細い形状であればよい。また、穴９１の形状も、図４Ｂに示すような長方形である必要はなく、実施の形態１のような丸形や楕円型などでもよい。また、穴の数も複数、形状もメッシュ形状であってよい。また、本実施の形態では、サスペンション３７に穴９１を設けたが、振動板側に設けてもよい。また、本実施の形態では、サスペンション３７は一体物であるが、２分割されていてもよい。スピーカ形状によっては、振動系質量をより軽量化でき効率向上につながる。また、振動板３６とサスペンション３７に異なる材料を用いてもよく、実施の形態１と同様の効果が得られる。
【００４７】
（実施の形態３：補聴器）
次に、本発明のいずれかの態様に係るスピーカを搭載した機器の例を説明する。まず実施の形態３として、実施の形態１におけるスピーカ１１０を搭載した補聴器１５０について説明する。
【００４８】
図５は、実施の形態３における補聴器１５０の外観の一例を示す図である。なお、図５では、補聴器１５０が使用者の耳介４２に装着された状態の外観が示されている。図５に示す補聴器１５０は、レシーバ部４０と、リードチューブ４１と、補聴器本体４３とを備える。
【００４９】
図６は、図５に示す補聴器１５０におけるレシーバ部４０の断面拡大図である。レシーバ部４０は、イヤーチップ４５と、通気孔４４と、イヤーチップ結合部４６と、レシーバ４７と、リードチューブ結合部４８とを有する。なお、本実施の形態では、レシーバ４７として、実施の形態１におけるスピーカ１１０が採用されているが、スピーカ１１０の詳細は実施の形態１で説明した通りであり、ここでの説明は省略する。また、インナーイヤーヘッドホンにおける音声出力デバイスとして、スピーカ１１０が採用された場合の断面も、例えば、図６に示す断面構造と同様であり、使用者に装着するためのイヤーチップ４５等がインナーイヤーヘッドホンに備えられる。
【００５０】
スピーカ１１０を利用した補聴器１５０は、構成要素として大きく２つに分けることができる。一つは、耳介４２上部でかつ耳介４２裏側に位置するように耳に装着される補聴器本体４３であり、もう一つは、外耳道内部および外耳道開口部の少なくとも一方に位置するレシーバ部４０である。
【００５１】
以上のように構成された補聴器１５０について、その動作を説明する。補聴器本体４３に配置されたマイクが入力音を入力音響信号に変換し、補聴器本体４３が備える信号処理部に伝達する。信号処理部では、入力音響信号が加工され出力音響信号が生成される。生成された出力音響信号は、リードチューブ４１を通じてレシーバ４７に伝達される。レシーバ４７が出力音響信号を出力音に変換し、振動板１６から音孔１３、および、イヤーチップ４５を経由し、使用者に対して出力音を再生する。このように、本実施の形態におけるレシーバ４７は、補聴器１５０において出力音響信号を再生するスピーカとして動作する。
【００５２】
ここで、一般的な補聴器の持つ問題として自声の響きと装着時の閉塞感とがあり、これは、補聴器が外耳道を密閉することに起因するものである。
【００５３】
本実施の形態では、レシーバ４７（スピーカ１１０）において振動板１６とサスペンション１７が立体的に配置されていることで（例えば、図１Ｂ参照）、レシーバ４７の外径が従来よりも小さくされる。その結果、外耳道の壁面とレシーバ４７との間に通気孔４４による通気路を確保することが可能となり、外耳道を密閉しないオープンフィッティングタイプの補聴器１５０が実現される。さらに、従来の構造に比べサスペンション１７の長さを長くできる。そのため、サスペンション１７のスティフネスを小さくでき、その結果、最低共振周波数が低くなる。すなわち、オープンフィッティングタイプであっても、十分な低音域の再生が可能な、高音質な補聴器１５０が実現される。
【００５４】
なお、補聴器１５０は、レシーバ４７として実施の形態１のスピーカ１１０ではなく、実施の形態２のスピーカ１３０を備えてもよい。例えば、補聴器１５０がレシーバ４７として実施の形態２のスピーカ１３０を備える場合、上述のように、装着時に耳孔内に振動板３６が挿入されるように補聴器１５０を構成することが可能である。インナーイヤーヘッドホンについても同様であり、インナーイヤーヘッドホンにおける音声出力デバイスとして、スピーカ１１０、および１３０のいずれが採用されてもよい。
【００５５】
（実施の形態４：携帯端末装置）
次に、実施の形態４として、本発明のいずれの態様に係るスピーカを搭載した携帯端末装置の一例を説明する。
【００５６】
図７は、実施の形態４における携帯電話機１６０の外観の一例を示す図である。なお、図７に示す携帯電話機１６０は、本発明の携帯型情報処理装置の一例である。図７に示す携帯電話機１６０は、上部筐体５０と、下部筐体５１と、液晶画面５２と、ヒンジ部５３と、スピーカ５４と、音孔５５とを備えている。
【００５７】
図７に示す携帯電話機１６０は、本体が上部筐体５０および下部筐体５１からなる折りたたみ式である。上部筐体５０と下部筐体５１とはヒンジ部５３を中心に回転可能に接続されている。上部筐体５０には、正面に液晶画面５２が設けられる。スピーカ５４は上部筐体５０の内部にあって液晶画面５２の上方に配置される。なお、スピーカ５４としては、ここでは説明が重複するので詳細には記載しないが、例えば図１Ａおよび図１Ｂを用いて説明した実施の形態１のスピーカ１１０が採用される。具体的には、スピーカ１１０は、図１Ｂで示した音孔１３、或いは音孔２０が、図７の上部筐体５０の音孔５５と接続するように搭載される。なお、スピーカ５４として、実施の形態２のスピーカ１３０が採用されてもよい。
【００５８】
以上のように構成された携帯電話機１６０について、その動作を説明する。携帯電話機１６０において、アンテナによって受信された信号は、信号処理部で処理され、受話信号としてスピーカ５４に入力され、スピーカ５４により受話音が再生される。なお、図７には図示していないが、アンテナおよび信号処理部は、基本的な構成要素として携帯電話機１６０に備えられている。このように、本実施の形態ではスピーカ５４は、携帯電話機１６０で受話音を再生するスピーカであり、レシーバと呼ばれる音響変換器として動作させるものである。
【００５９】
近年の一般的な携帯電話機では液晶画面が大きくなっているため、レシーバの取り付け位置が筐体の上部外枠近くとなっている。その結果、レシーバから放射される音が外部に漏れないように筐体で耳を塞ぎ、密閉に近い状態で使用することは困難となってきている。そのため、レシーバの最低共振周波数以下では音圧レベルが低下し、低域再生が困難となっている。
【００６０】
本実施の形態における携帯電話機１６０によれば、レシーバ（例えば、スピーカ１１０）の最低共振周波数を低下させることが可能である。そのため、携帯電話機１６０と耳との間の密閉状態が保てない状態であっても、最低共振周波数までは音圧レベルの低下は少なく、例えば最低共振周波数を３００Hz付近に設定するならば、この周波数帯域までは平坦な音圧特性が実現される。
【００６１】
このように、携帯電話機１６０では、従来の携帯電話機と比べて受話音の受話音質が大幅に改善される。つまり、本実施の形態の携帯電話機１６０は、液晶画面５２の拡大によりレシーバの取り付け位置が上部筐体５０の上面に寄せられた、最近の携帯電話機としての高い実用性を有する。また、携帯電話機１６０は、通話信号の低域の再生帯域が大幅に拡大される予定の第４世代の携帯電話機としての高い実用性も有する。
【００６２】
（実施の形態５：薄型テレビ）
次に、実施の形態５として、本発明のいずれの態様に係るスピーカを搭載した薄型テレビの一例を説明する。
【００６３】
図８は、実施の形態５における薄型テレビ１７０の外観の一例を示す図である。図８に示す薄型テレビ１７０は、本発明のＡＶ機器の一例であり、テレビ筐体６０と、ディスプレイ部６１と、スピーカユニットが複数配置されたスピーカ２００とを備える。
【００６４】
ディスプレイ部６１は、例えば、ＰＤＰ（Ｐｌａｓｍａ  Ｄｉｓｐｌａｙ  Ｐａｎｅｌ）、液晶ディスプレイパネル、或いは有機ＥＬディスプレイパネルによって実現される。また、スピーカ２００は、テレビ筐体６０の内部にあって、例えばディスプレイ部６１の両サイドに設けられる。スピーカ２００には、例えば図４Ａおよび図４Ｂを用いて説明した実施の形態２のスピーカ１３０が複数個用いられる。
【００６５】
幅の狭いスピーカ１３０を縦方向に複数並べて使用することで、狭額縁の薄型テレビ１７０を実現できる。また、サスペンション３７を長くすることでスピーカ１３０の最低共振周波数を低下する効果と、磁気空隙３４に充填した磁性流体３８の粘性によるボイスコイル３５に対する保持作用とを合わせて、低音域の再生が可能である。つまり、スピーカ１３０を用いると低音域の再生に優れた狭額縁の薄型テレビ１７０が実現できる。
【００６６】
以上、本発明のスピーカ１１０，１３０、補聴器１５０、インナーイヤーヘッドホン、携帯型情報処理装置、およびＡＶ機器について、実施の形態１〜５に基づいて説明した。しかしながら、本発明は、上記の各実施の形態に限定されるものではない。本発明の趣旨を逸脱しない限り、当業者が思いつく各種変形を各実施の形態に施したものも、あるいは、上記説明された複数の構成要素を組み合わせて構築される形態も、本発明の範囲内に含まれる。例えば、実施の形態５の薄型テレビ１７０等のＡＶ機器に、スピーカ１１０を備えられてもよい。
【００６７】
また、スピーカ１１０は、ボイスコイル１５がプレート１２の外周において上下方向に振動可能に配置されるのであれば、磁性流体１８を備えなくてもよい。磁性流体３８が必須ではないことは、他のスピーカ１３０についても同様である。
【００６８】
また、実施の形態４では、本発明のいずれかの態様に係るスピーカを備える携帯型情報処理装置として携帯電話機１６０を例示した。しかし、本発明の携帯型情報処理装置は、携帯型のパーソナルコンピュータなど、携帯電話機以外の、各種の携帯型の装置として実現可能である。
【００６９】
また、本発明のＡＶ機器も、例えば、ラジオ受信機など、テレビ以外の各種の機器として実現可能である。
【００７０】
以上のように本発明によれば、振動板とサスペンションの固着部に余剰接着剤を放出するための穴を設けることで、立体構造を構成する振動板とサスペンションを十分に接着することができる。また、振動板もしくはサスペンションの一部に穴を設けることで振動系質量が軽くなり、能率を向上させることができる。
【産業上の利用可能性】
【００７１】
本発明のスピーカは、その形状が小型、スリムであっても低音域の再生が可能かつ信頼性が高いため、オープンフィッティングタイプの補聴器およびインナーイヤーヘッドホン、ならびに、受話部の密閉を保つことができない携帯電話機等の携帯端末装置において、小型で低音域まで再生可能な信頼性の高いレシーバとして実現することができる。
【００７２】
また薄型化が進む液晶ディスプレイパネル、ＰＤＰ、または有機ＥＬディスプレイパネル等を備える薄型テレビなどのオーディオ装置のスピーカとして、本発明のスピーカを採用することにより、高音質な低域再生が可能なオーディオ装置が実現できる。
【符号の説明】
【００７３】
１０、３０    ヨーク
１１、３１    マグネット
１２、３２    プレート
１５、３５    ボイスコイル
１６、３６    振動板
１８、３８    磁性流体
１７、３７、９５、１１７    サスペンション
１３、２０、３３、５５、１００    音孔
１４、３４    磁気空隙
１６ａ    凹部
１６ｂ、３６ａ    周縁部
１９、３９    ヨークカバー
２１、９３、１０１    第一固着部
２２、９４、１０２    第二固着部
４０    レシーバ部
４１    リードチューブ
４３    補聴器本体
４４    通気孔
４５    イヤーチップ
４６    イヤーチップ結合部
４７    レシーバ
４８    リードチューブ結合部
５０    上部筐体
５１    下部筐体
５２    液晶画面
５３    ヒンジ部
５４、１１０、１３０、２００    スピーカ
６０    テレビ筐体
６１    ディスプレイ部
１１１、１３１    筐体
１５０    補聴器
１６０    携帯電話機
１７０    薄型テレビ
【図１Ａ】
2013157798.tif 000003
【図１Ｂ】
2013157798.tif 000004
【図２】
2013157798.tif 000005
【図３】
2013157798.tif 000006
【図４Ａ】
2013157798.tif 000007
【図４Ｂ】
2013157798.tif 000008
【図５】
2013157798.tif 000009
【図６】
2013157798.tif 000010
【図７】
2013157798.tif 000011
【図８】
2013157798.tif 000012
【図９】
2013157798.tif 000013